(57)【要約】      （修正有）【課題】ディスペンサーに入れられて販売されている化粧液のプッシュ回数を知らせるためのディスペンサー入化粧品に使用する化粧用コットンを提供する。【解決手段】化粧用コットン（Ａ）の表面に、一または複数の環状（Ｃａ）あるいは凹状部に形成したマーク（Ｂ）を設けたことを特徴とし、また、マーク（Ｂ）に、数字を型押ししたり、マーク（Ｂ）に、数字を記載したり、さらにマーク（Ｂ）の形状が、円形、楕円形、涙形状であることを特徴とする。【選択図】図１
0003190632.tif 000002
【実用新案登録請求の範囲】
【請求項１】
化粧用コットン（Ａ）の表面に、一または複数のマーク（Ｂ）を設けたことを特徴とするディスペンサー入化粧液に使用する化粧用コットン。
【請求項２】
前記マーク（Ｂ）が、環状（Ｃａ）あるいは凹状部（Ｃｂ）に形成することを特徴とする請求項１記載のディスペンサー入化粧液に使用する化粧用コットン。
【請求項３】
前記マーク（Ｂ）の環状（Ｃａ）あるいは凹状部（Ｃｂ）内に、数字（Ｄ）を型押しすることを特徴とする請求項１または２記載のディスペンサー入化粧液に使用する化粧用コットン。
【請求項４】
前記マーク（Ｂ）の形状が、円形、楕円形、涙形状であることを特徴とする請求項１または２または３記載のディスペンサー入化粧液に使用する化粧用コットン。
【考案の詳細な説明】
【技術分野】
【０００１】
この考案は、ディスペンサー入化粧液に使用する化粧用コットンに関するものであり、特に、液体定量吐出装置（以下、ディスペンサーという。）に充填された化粧液、乳液、あるいは美容液（化粧水＋乳液）を容器から吐出する際のプッシュ回数を知るに便利な化粧用コットンに関するものである。
【背景技術】
【０００２】
従来、化粧用コットンは、化粧液（化粧水等の化粧液、乳液、あるいは美容液）を容器から、該コットンの表面上に垂らし、このコットンに含浸された化粧液を用いて顔面等の身体に塗布したり、塗布した化粧品や化粧液等を拭き取る場合等に使用されている。
【０００３】
そして、化粧液は、キャップ付きのガラスやプラスチック等のビン容器に入れて販売されている。しかし、近年、ディスペンサーに入れられて、シャンプーやソープのように販売されており、化粧液は、その種類によってはディスペンサーを１回プッシュすれば、どの程度の量が出るのか、また、１回では不足であれば、何回プッシュすれば適量となるのか不明であった。
【考案の概要】
【考案が解決しようとする課題】
【０００４】
そこで、この考案の課題は、ディスペンサーに入れられて販売されている化粧液のプッシュする必要回数を知らせるためのディスペンサー入化粧液に使用する化粧用コットンを開発・提供することにある。
【課題を解決するための手段】
【０００５】
そこでこの考案は、上記の課題を解決すべく、鋭意研究を重ねた結果、開発されたものであり、化粧用コットンの表面に、一または複数のマーク、マーク及び数字を設け、事前に化粧液の使用量を知らせることのできるディスペンサー入化粧液に使用する化粧用コットンを開発・提供することにある。
【考案の効果】
【０００６】
この考案によると、化粧用コットン（Ａ）の表面に、一または複数のマーク（Ｂ）を設けたことにより、各種化粧液を入れたディスペンサー（Ｘ）ごとに、その化粧液用に使用する化粧用コットンの表面のマーク（Ｂ）の数、数字（Ｄ）を見れば、吐出口（Ｘａ）からの一回の化粧液（Ｙ）の吐出量〔即ち、何回プッシュ（押す）〕が即時に判明し、極めて便利である。
【０００７】
さらに、化粧用コットン（１）の表面に、一または複数のマークが凹状部（Ｃａ）に形成されれば、乳液等の化粧液（Ｙ）はその凹状部（Ｃａ）に流れ込み、使用する量の目安にもなり便利である等の効果を奏する。
【０００８】
さらに、この考案によると、２以上の複数のマーク（Ｂ）、数字（Ｄ）が表示された化粧用コットン（Ａ）であれば、そのマーク（Ｂ）、数字（Ｄ）の位置に向けてプッシュし、その位置で化粧液（Ｙ）が含浸されるため、プッシュした回数が判別でき、無駄な回数プッシュすることなく化粧液の節約になり便利である。
【図面の簡単な説明】
【０００９】
【図１】この考案の一実施例を示し、（ａ）は、平面図であり、（ｂ）は、図１（ａ）中のＩ−Ｉ断面図である。
【図２】この考案の他の実施例を示し、（ａ）は、平面図であり、（ｂ）は、図２（ａ）中のＩ−Ｉ断面図である。
【図３】この考案のさらに他の実施例を示し、（ａ）は、平面図であり、（ｂ）は、図３（ａ）中のＩ−Ｉ断面図である。
【図４】この考案のさらに他の実施例を示し、（ａ）は、平面図であり、（ｂ）は、図４（ａ）中のＶ−Ｖ断面図である。
【図５】この考案のさらに他の実施例を示し、（ａ）は、平面図であり、（ｂ）は、図５（ａ）中のＶ−Ｖ断面図である。
【図６】この考案のさらに他の実施例を示し、（ａ）は、平面図であり、（ｂ）は、図６（ａ）中のＶ−Ｖ断面図である。
【図７】この考案のさらに他の実施例を示し、（ａ）は、平面図であり、（ｂ）は、図７（ａ）中のＷ−Ｗ断面図である。
【図８】この考案の使用状態を示す説明図である。
【考案を実施するための形態】
【００１０】
以下、この考案について詳細に説明する。尚、この考案においては、以下の記述に限定されるものではなく、この考案の要旨を逸脱しない範囲においては適宜変更可能である。
【実施例】
【００１１】
先ず、この考案の一実施例を図１に基づいて詳述すると、化粧用コットン（Ａ）の表面に、一または複数のマーク（Ｂ）を設けたことを特徴とするディスペンサー入化粧液に使用する化粧用コットンから構成されるものである。
【００１２】
また、前記マーク（Ｂ）が、凹状部（Ｃａ）あるいは環状（Ｃｂ）に形成するディスペンサー入化粧液に使用する化粧用コットンである。
【００１３】
さらに、前記マーク（Ｂ）の凹状部（Ｃａ）あるいは環状（Ｃｂ）内に、数字（Ｄ）を型押しすることを特徴とするディスペンサー入化粧液に使用する化粧用コットンである。
【００１４】
前記マーク（Ｂ）の形状が、円形、楕円形（図示しない）、涙形状であり、また、図には示さないが、四角形等でもよく、特に、形状の限定はしない。
【００１５】
さらに、化粧用コットン（Ａ）に前記マーク（Ｂ）を形成する手段の一例としては、リング状（環状）の型だけを型押しするか、あるいは環状の枠内に数字（Ｄ）を入れた型をそれぞれ化粧用コットン（Ａ）に型押しして形成するものである。
【産業上の利用可能性】
【００１６】
この考案のディスペンサー入り化粧液に使用する化粧用コットンの技術を確立し、実施することにより、産業上利用できるものである。
【符号の説明】
【００１７】
Ａ  化粧用コットン
Ｂ  マーク
Ｃａ  凹状部
Ｃｂ  環状
Ｄ  数字
Ｘ  ディスペンサー
Ｘａ  吐出口
Ｙ  化粧液
【図１】
0003190632.tif 000003
【図２】
0003190632.tif 000004
【図３】
0003190632.tif 000005
【図４】
0003190632.tif 000006
【図５】
0003190632.tif 000007
【図６】
0003190632.tif 000008
【図７】
0003190632.tif 000009
【図８】
0003190632.tif 000010
【手続補正書】
【提出日】平成26年3月13日(2014.3.13)
【手続補正１】
【補正対象書類名】実用新案登録請求の範囲
【補正対象項目名】全文
【補正方法】変更
【補正の内容】
【実用新案登録請求の範囲】
【請求項１】
化粧用コットン（Ａ）の表面に、一又は複数の環状（Ｃａ）あるいは凹状部（Ｃｂ）に形成したマーク（Ｂ）を設けたことを特徴とするディスペンサー入化粧液に使用する化粧用コットン。
【請求項２】
前記マーク（Ｂ）の環状（Ｃａ）あるいは凹状部（Ｃｂ）内に、数字（Ｄ）を型押しることを特徴とする請求項１記載のディスペンサー入化粧液に使用する化粧用コットン。
【請求項３】
前記マーク（Ｂ）の環状（Ｃａ）あるいは凹状部（Ｃｂ）の形状が、円形、楕円状、涙形状であることを特徴とする請求項１または２記載のディスペンサー入化粧液に使用する化粧用コットン。